(57)【要約】本開示は、アンチロール特徴を伴う治療薬送達デバイスに関する。一実施形態では、治療薬送達デバイスは、第１の端部、第２の端部と、第１の端部と第２の部との間に延在する管腔とを含む管状体を含み得る。管状体の外側表面は、管腔と連通する第１の開口部を含む。管状体の外側表面は、さらに、第１の開口部の周縁の周囲に延在するレッジを含み得、管状体の第２の端部に最も近いレッジの一部は、矢尻のように成形され得る。治療薬送達デバイスは、また、管状体の第２の端部に係合するように構成されるキャップを含み得、キャップは、中心縦軸と、第１の断面寸法を有する第１の端と、第１の断面寸法よりも大きい第２の断面寸法を有する第２の端とを含み得る。キャップは、さらに、第１の端から第２の端まで半径方向の外向きに延在する湾曲側壁を含み得、湾曲側壁は突起を含み得る。
2020526257.tif 000002
【特許請求の範囲】
【請求項１】
治療薬送達デバイスであって、
第１の端部と、第２の端部と、前記第１の端部と前記第２の端部との間に延在する管腔とを含む管状体であって、管状体の外側表面は管腔と連通する第１の開口部を含み、管状体の外側表面は、さらに、第１の開口部の周縁の周囲に延在するレッジを含み、管状体の第２の端部に最も近いレッジの一部は矢尻のように成形される、管状体と、
前記管状体の第２の端部に係合するように構成されるキャップであって、中心縦軸と、第１の断面寸法を有する第１の端と、第１の断面寸法よりも大きい第２の断面寸法を有する第２の端とを含み、さらに、第１の端から第２の端まで半径方向の外向きに延在する側壁を含み、側壁は突起を含む、キャップと、
を備える、治療薬送達デバイス。
【請求項２】
治療薬送達デバイスは自己注射器である、請求項１に記載の治療薬送達デバイス。
【請求項３】
前記管腔はその内部にシリンジを受容するように構成される、請求項１に記載の治療薬送達デバイス。
【請求項４】
前記シリンジは治療薬の体積を含み、前記第１の開口部は、治療薬の体積の可視化を可能にするように構成される、請求項３に記載の治療薬送達デバイス。
【請求項５】
前記キャップが前記管状体と係合しないとき、前記レッジは前記管状体の回転を制限するように構成される、請求項１に記載の治療薬送達デバイス。
【請求項６】
前記キャップが前記管状体と係合するとき、前記突起だけが治療薬送達デバイスの回転を制限するように構成される、請求項１に記載の治療薬送達デバイス。
【請求項７】
前記突起は複数の突起を含む、請求項１に記載の治療薬送達デバイス。
【請求項８】
前記複数の突起のうちの各突起は、隣接する突起から円周方向に離間している、請求項７に記載の治療薬送達デバイス。
【請求項９】
隣接する突起の間に配置される凹部をさらに備える、請求項７に記載の治療薬送達デバイス。
【請求項１０】
前記突起は第１の端及び第２の端を含み、前記突起の第１の端は第１の距離だけ前記キャップの中心縦軸から離間し、前記突起の第２の端は、第１の距離よりも大きい第２の距離だけ、前記キャップの中心縦軸から離間している、請求項１に記載の治療薬送達デバイス。
【請求項１１】
前記管状体の外側表面は、さらに、前記第１の開口部に対して直径方向において反対側に配置される第２の開口部を含む、請求項１に記載の治療薬送達デバイス。
【請求項１２】
治療薬送達デバイスであって、
第１の端部と、第２の端部と、中心縦軸とを含む管状体であって、管状体の外側表面は中心縦軸から離れるように延在する幾何学構成を含み、幾何学構成の一部は矢尻のように成形され、幾何学構成は管状体の回転を制限するように構成される、管状体と、
前記管状体の第２の端部に係合するように構成されるキャップであって、その内部と連通する開口部を含む第１の端と、端壁を有する第２の端と、第１の端から第２の端まで半径方向の外向きに延在する側壁とを含み、側壁はキャップの回転を制限するように構成される突起を含む、キャップと、
を備える、治療薬送達デバイス。
【請求項１３】
前記管状体の外側表面は複数の幾何学構成を含み、幾何学構成のそれぞれは、矢尻のように成形される部分を含む、請求項１２に記載の治療薬送達デバイス。
【請求項１４】
前記幾何学構成は、前記管状体の外側表面上で相互に円周方向に離間している、請求項１３に記載の治療薬送達デバイス。
【請求項１５】
前記管状体の外側表面は窓を含み、前記幾何学構成は前記窓の一部を囲む、請求項１２に記載の治療薬送達デバイス。
【請求項１６】
前記窓は、前記管状体の内部の可視化を可能にする、請求項１５に記載の治療薬送達デバイス。
【請求項１７】
前記側壁は、相互に円周方向に離間している複数の突起を含む、請求項１２に記載の治療薬送達デバイス。
【請求項１８】
前記側壁は、隣接する突起間に配置される凹部を含む、請求項１２に記載の治療薬送達デバイス。
【請求項１９】
前記キャップが前記管状体と係合するとき、前記突起だけが治療薬送達デバイスの回転を制限するように構成される、請求項１２に記載の治療薬送達デバイス。
【請求項２０】
前記キャップが前記管状体と係合しないとき、前記レッジは前記管状体の回転を制限するように構成される、請求項１２に記載の治療薬送達デバイス。
【発明の詳細な説明】
【技術分野】
【０００１】
本発明は医療機器に関し、具体的には治療薬送達デバイスに関する。
（関連出願の相互参照）
本願は、米国仮特許出願第６２／５２７，４０８号（２０１７年６月３０日出願）に対する優先権を主張し、その開示全体は、本明細書に参照により、本明細書によって組み込まれる。
【背景技術】
【０００２】
本開示の様々な実施形態は、送達デバイスの回転を減らす及び／または防止するように構成される１つ以上のアンチロール特徴を有する治療薬送達デバイス（例えば、自己注射器または他の注射デバイス）に関する。アンチロール特徴は、送達デバイスの本体上だけに、送達デバイスに取り外し可能に係合するように構成されるキャップ上だけに、または送達デバイスの本体上及びキャップ上の両方に提供され得る。
【０００３】
（特許文献１）に示されるように、例えば、注射デバイスは、デバイスが表面側に設置されるとき（例えば、デバイスの縦軸が表面に平行またはそうでなければ実質的に平行であるとき）、表面にわたって回転の影響を受けやすい管状筐体を含み得る。したがって、デバイスの回転を防止するように設計された１つ以上のアンチロール特徴の必要性がある。
【０００４】
さらに、注射デバイスは、針がユーザの体内に穿通するように延在し得る注射端を有する。不注意の針損傷及び／または針に対する損害を防止するために、注射端をユーザに、容易に伝える、及び／またはそうでなければ注射端を示す必要性がある。（特許文献２）に説明される注射デバイスには、示された注射デバイスの注射端を指す矢印が提供されている。しかしながら、提供された矢印は、注射デバイスの外側表面と同一平面にあり、ひいては、例えば、視覚障害により把握することが困難または不可能である。さらに（特許文献２）に説明される注射デバイスの回転は、略長方形断面構成を伴う注射デバイスを提供することによって妨げられる。しかしながら、回転を妨げるための別の特徴（例えば、長方形断面構成）を伴う注射デバイスを提供することと、過度に注射端（例えば、印刷された矢印）を示すこととは、製造を複雑にし、コストを増加させる。
【０００５】
したがって、また、ユーザが、視力があるか、または視覚障害であるかどうかにかかわらず、ユーザに注射端を示すように構成される注射デバイスのアンチロール特徴の必要性がある。
【先行技術文献】
【特許文献】
【０００６】
【特許文献１】米国特許第８５２９５１０号明細書
【特許文献２】米国意匠特許発明第６７７３８０号明細書
【発明の概要】
【発明が解決しようとする課題】
【０００７】
本発明は上記した懸案を鑑みてなされたものである。
【課題を解決するための手段】
【０００８】
本開示の一態様に従って、治療薬送達デバイスは、第１の端部と、第２の端部と、第１の端部と第２の部との間に延在する管腔とを含む管状体を含み得る。管状体の外側表面は、管腔と連通する第１の開口部を含む。管状体の外側表面は、さらに、第１の開口部の周縁の周囲に延在するレッジを含み得、管状体の第２の端部に最も近いレッジの一部は、矢尻のように成形され得る。治療薬送達デバイスは、また、管状体の第２の端部に係合するように構成されるキャップを含み得、キャップは、中心縦軸と、第１の断面寸法を有する第１の端と、第１の断面寸法よりも大きい第２の断面寸法を有する第２の端とを含み得る。キャップは、さらに、第１の端から第２の端まで半径方向の外向きに延在する側壁を含み得、側壁は突起を含み得る。
【０００９】
治療薬送達デバイスの様々な実施形態は、以下の態様の１つ以上のものを含み得る。治療薬送達デバイスは自己注射器であり得る。治療薬送達デバイスの管腔は、管腔内にシリンジを受容するように構成され得、シリンジは治療薬の体積を含み得、第１の開口部は、治療薬の体積の可視化を可能にするように構成される。治療薬送達デバイスのキャップが管状体と係合しないとき、レッジは管状体の回転を制限するように構成され得る。治療薬送達デバイスのキャップが管状体と係合するとき、突起だけが治療薬送達デバイスの回転を制限するように構成され得る。キャップの突起は複数の突起を含み得、複数の突起のうちの各突起は、隣接する突起から円周方向に離間し得る。治療薬送達デバイスのキャップは、隣接する突起の間に配置される凹部を含み得、突起は第１の端及び第２の端を含み、突起の第１の端は第１の距離だけキャップの中心縦軸から離間し、突起の第２の端は、第１の距離よりも大きい第２の距離だけ、キャップの中心縦軸から離間している。治療薬送達デバイスの管状体の外側表面は、さらに、第１の開口部に対して直径方向において反対側に（ｄｉａｍｅｔｒｉｃａｌｌｙ  ｏｐｐｏｓｉｔｅ  ｔｏ）配置される第２の開口部を含み得る。
【００１０】
別の態様では、本開示は、第１の端部、第２の端部、及び中心縦軸を含む管状体を有する、治療薬送達デバイスを含み、管状体の外側表面は中心縦軸から離れるように延在する幾何学構成を含み、幾何学構成の一部は矢尻のように成形され、幾何学構成は管状体の回転を制限するように構成される。治療薬送達デバイスは、さらに、管状体の第２の端部に係合するように構成されるキャップを含み、キャップは、キャップの内部と連通する開口部を含む第１の端と、端壁を有する第２の端と、第１の端から第２の端まで半径方向の外向きに延在する側壁とを含み得、側壁はキャップの回転を制限するように構成される突起を含む。
【００１１】
治療薬送達デバイスの様々な実施形態は、以下の態様の１つ以上のものを含み得る。治療薬送達デバイスの管状体の外側表面は複数の幾何学構成を含み得、幾何学構成のそれぞれは、矢尻のように成形される一部を含み得る。幾何学構成は管状体の外側表面上で相互から円周方向に離間し得、管状体の外側表面は窓を含み、幾何学構成は窓の一部を囲む。窓は管状体の内部の可視化を可能にする。キャップの側壁は、相互から円周方向に離間している複数の突起を含み得る。
【００１２】
本明細書の一部に組み込まれ及びそれを構成する付随の図面は、様々な例示的実施形態を示し、その説明と一緒に、開示された実施形態の原理を説明する役割を果たす。図面は本開示の異なる態様を示し、適切な場合、異なる図の同様の構造、構成要素、材料、及び／または要素を示す参照数字は、同様に標識化される。具体的に示されるもの以外の構造、構成要素、及び／または要素の様々な組み合わせは想到され、本開示の範囲内にあることが理解される。
【００１３】
本明細書に説明及び示される多くの発明が存在する。説明される発明は、任意の単一の態様にもその実施形態にも限定されない、また、係る態様及び／または実施形態の任意の組み合わせ及び／または順列に限定されない。さらに、説明される発明の態様及び／またはその実施形態のそれぞれは、単独で、または、説明される発明の他の態様及び／またはその実施形態の１つ以上と組み合わせて採用され得る。簡潔にするために、ある順列及び組み合わせは、本明細書に別個に説明されない及び／または示されない。顕著に、「例示的」として本明細書に説明される実施形態または実施態様は、例えば、他の実施形態または実施態様にわたって、好ましいまたは有益であるとして解釈されない。むしろ、実施形態（複数可）が「例示的」な実施形態（複数可）であることを反映する、または示すことが意図される。
【図面の簡単な説明】
【００１４】
【図１Ａ】本開示の一実施形態に従って、例示的な治療薬送達デバイスの側面図を提供する。
【図１Ｂ】図１Ａの治療薬送達デバイスの分解図を提供する。
【図１Ｃ】一実施形態に従って、デバイスがシリンジアセンブリ及び電源函を含有する、線Ｘ−Ｘに沿った図１Ａの治療薬送達デバイスの断面図を提供する。
【図２Ａ】図１Ａの治療薬送達デバイスの筐体の斜視図を提供する。
【図２Ｂ】図１Ａに示される視点に対して筐体が９０度回転している、図２Ａに示される筐体の側面図を提供する。
【図２Ｃ】図２Ｂに示される視点に対して筐体が９０度回転している、図２Ａに示される筐体の別の側面図を提供する。
【図３Ａ】図１Ａに示されるもの等の本開示の治療薬送達デバイスの例示的キャップの斜視図を提供する。
【図３Ｂ】図３Ａに示されるキャップの側面図を提供する。
【図３Ｃ】図３Ａに示されるキャップの断面図を提供する。
【図３Ｄ】図３Ｃに示される凹部の近接図を提供する。
【図３Ｅ】図３Ａに示されるキャップの上面図を提供する。
【図４Ａ】図１Ａに示されるもの等の本開示の治療薬送達デバイスの代替の例示的キャップの斜視図を提供する。
【図４Ｂ】図４Ａに示されるキャップの断面図を提供する。
【図４Ｃ】図４Ｂに示される凹部の近接図を提供する。
【図５Ａ】図１Ａに示されるもの等の本開示の治療薬送達デバイスの別の代替の例示的キャップの斜視図を提供する。
【図５Ｂ】図５Ａに示されるキャップの側面図を提供する。
【図５Ｃ】図５Ａに示されるキャップの底面図を提供する。
【図５Ｄ】図５Ａに示される凹部の近接図と、凹部のいくつかの寸法とを提供する。
【発明を実施するための形態】
【００１５】
本明細書に使用されるような用語「備える（ｃｏｍｐｒｉｓｅｓ）」、「備える（ｃｏｍｐｒｉｓｉｎｇ）」、「含む（ｉｎｃｌｕｄｅｓ）」、「含む（ｉｎｃｌｕｄｉｎｇ）」、またはそれらの任意の他の変形例は非排他的な包含を対象にするように意図され、それにより、要素のリストを含むプロセス、方法、物品、または装置は、それらの要素だけを含まないが、明示的に列挙されない他の要素、または、係るプロセス、方法、物品、もしくは装置に固有ではない他の要素を含み得る。用語「例示的」は「理想的」よりもむしろ「実施例」という意味で使用される。加えて、用語「第１の」、「第２の」、及び同等物は、本明細書では、任意の順序、量、または重要性を示さないが、むしろ、別のものと、要素、構造を区別するために使用される。さらに、用語「１つの（ａ）」及び「１つの（ａｎ）」は、本明細書では、量の制限を示さないが、むしろ、１つ以上の参照アイテムの存在を示す。
【００１６】
用語「遠位端」またはその任意の変形例は、注射作業中に、患者の注射部位または治療薬送達部位から最も遠いデバイスの部分を指す。逆に、用語「近位端」またはその任意の変形例は、注射作業中に、患者の注射部位または治療薬送達部位から最も近いデバイスの部分を指す。さらに、本明細書に使用されるような用語「約」、「実質的に」、及び「大体」は、概して、表示値の＋／−１０％を意味する。
【００１７】
本開示の実施形態は、管状体及び／またはキャップ上のアンチロール特徴を伴う治療薬送達デバイス（例えば、自己注射器または他の注射デバイス）に関する。係る特徴は、デバイスの位置に対する予測可能性を提供することによって、自己注射器の使用を容易にする。例えば、説明される自己注射器上のアンチロール特徴は、自己注射器が、不注意に、例えば、テーブルもしくはカウンタの表面から転がり落ちるであろう可能性、またはユーザから離れるように転がるであろう可能性を減らし得る。一実施形態では、自己注射器の筐体の外側表面は、筐体の回転を減らす、またはそうでなければ筐体の回転を防止する１つ以上の隆起部分または幾何学構成を含み得る。隆起部分または幾何学構成は、また、ユーザに自己注射器の注射端（針がユーザの体内に延在し得る）を示すように構成され得る。他の実施形態では、自己注射器は、自己注射器の注射端を覆うように構成されるキャップを含み得る。係る実施形態では、キャップは、また、アンチロール特徴が提供され得る。自己注射器の様々な実用的な特性及び特徴が本明細書に説明されており、それらの特性及び特徴のいくつかの変形例が説明されているが、それらの特性及び特徴は、本開示に従ったデバイスでは、またはデバイスの一部として、いくつかの美的な方法で提示され得ることが当業者によって理解されるであろう。本明細書の特性または特徴上で１つまたは少数の可視の変形例を示す際に、本開示は、示される変形例によって限定されることが意図されない。本開示の態様は、下記により詳細に説明される。
【００１８】
図１Ａに示されるように、例示的な治療薬送達デバイス１００は、限定ではないが、自己注射器を含む注射デバイスを含み得る。送達デバイス１００は、遠位端部１０１ａ及び近位端部１０１ｂを含み得る。送達デバイス１００は、細長い筐体１０４と、筐体１０４の近位端に取り外し可能に係合するように構成されるキャップ１０２とを含み得る。遠位端部１０１ａは、筐体１０４内に開口部を含み得る。図２Ａに示されるように、係る開口部はキャップによって閉鎖され得る。キャップは、任意の適切なサイズまたは構成を有し得る。いくつかの実施形態では、キャップは、遠位端部１０１ａが送達デバイス１００の注射端ではないことをユーザに明確に伝えるように、筐体１０４の遠位端部１０１ａと同一平面上または実質的に同一平面上にあり得る。筐体１０４は、略円断面構成を含み得る。いくつかの実施形態では、しかしながら、筐体１０４は、限定ではないが、長方形、三角形、または卵型を含む、任意の適切な断面構成を含み得る。筐体１０４は、限定ではないが、ガラス、樹脂、金属、ゴム、シリコーン、またはそれらの組み合わせを含む、任意の適切な材料を含み得る。いくつかの実施形態では、筐体１０４は、概して、不透明であり得る。他の実施形態では、しかしながら、筐体１０４は、筐体１０４内で可視化を可能にするような１つ以上の透明部または半透明部を含み得る。例えば、下記にさらに詳細に説明されるように、筐体１０４は、係る可視化を可能にするような１つ以上の開口部または窓を含み得る。いくつかの実施形態では、窓は、例えば、ガラスまたは樹脂等の透明材または半透明材によって覆われ得る。
【００１９】
筐体１０４は、管腔１０５及び外側表面１０８を含み得る。外側表面１０８は、筐体１０４内の可視化を可能にするように、または筐体１０４の管腔１０５（図２Ｂ）の内部の中身の可視化を可能にするように構成される、開口部または窓（例えば、図１Ｂに示される開口部１１２）を含み得る。単一の開口部１１２は図１Ａに示されるが、筐体１０４は、例えば、２つの開口部、３つの開口部、または４つの以上の開口部を含む、より大きい数の開口部１１２が提供され得る。いくつかの実施形態では、しかしながら、筐体１０４は、いずれかの開口部なしで提供され得る。複数の開口部１１２を有する実施形態では、開口部１１２は、外側表面１０８の周囲で円周方向に離間し得る。例えば、２つの開口部１１２は、相互に直径方向において反対側に位置付けられ得る。加えて、または代替として、開口部１１２は、外側表面１０８上で、相互から縦方向に離間され得る。例えば、第１の開口部１１２及び第２の開口部１１２は、外側表面１０８上の略同じ半径方向位置に（しかし、軸Ｘ−Ｘに沿って縦方向に離間される）位置付けられ得る。さらに、開口部１１２は任意の適切な構成を含み得る。例えば、開口部１１２は、円、長方形、三角形、五角形、八角形、または楕円として成形され得る。図１Ａに示されるように、例えば、開口部１１２は細長い構成を含み得る。例えば、開口部１１２の幅は約７．５ｍｍであり得、開口部の長さは約３１．９ｍｍであり得る。いくつかの実施形態では、例えば、筐体１０４が１ｍＬ未満のものを保持するように構成されるシリンジ１０６を受容するように構成されるとき、開口部１１２の長さは、約３１．９ｍｍよりもかなり短い長さであり得る。開口部１１２の幅は、一定であり得る、またはその長さに沿って変動し得る。例えば、開口部１１２の近位部の幅は、開口部１１２の遠位部の幅よりも大きい場合があり、それによって、略矛形構成を伴う開口部１１２を提供する。いくつかの実施形態では、開口部１１２の側壁は相互から離れるように先細りになり得る。
【００２０】
いくつかの実施形態では、開口部１１２の近位端はユーザに注射端を示すように構成され得る。例えば、開口部１１２の最近位側は、キャップ１０２の方向を「指す」頂点で終端するように構成され得る。代替として、開口部１１２の最近位側は、キャップ１０２の方向を指す矢尻として構成され得る。
【００２１】
上記に示したように、外側表面１０８は、筐体１０４の回転を防止またはそうでなければ抑制するように構成される１つ以上のアンチロール特徴を含み得る。例えば、筐体１０４は、開口部１１２の周りに配置される１つ以上の突起を含み得る。下記にさらに詳細に説明されるように、アンチロール特徴（複数可）は、図１Ａ〜図１Ｃ及び図２Ａ〜図２Ｃに示されるように、ならびに下記にさらに詳細に説明されるように、開口部１１２の周縁の一部または全体を囲む、隆起レッジ１１４を含み得る。具体的には、本開示は、レッジ１１４が、開口部１１２の周囲で１００％、開口部１１２の周囲で１００％未満、開口部１１２の周囲で７５％未満、開口部１１２の周囲で４０％未満、開口部１１２の周囲で３０％未満、または開口部１１２の周囲で２０％未満だけ延在し得ることを想到する。当業者は、外側表面１０８が開口部１１２を含まない場合でさえ、説明されるアンチロール特徴が外側表面１０８上に提供され得ることを容易に認識することであろう。さらに、複数の開口部１１２が外側表面１０８上に提供される実施形態では、１つ以上の開口部１１２は関連レッジ１１４を含まない場合がある、または、全ての開口部１１２は関連レッジ１１４を含み得る。それにもかかわらず、本開示は、外側表面１０８上の複数のレッジを想到する。さらに、外側表面１０８は、取扱い中、ユーザによる握りを促進するように構成される１つ以上の幾何学的特徴を含み得る。係る幾何学的特徴は、質感、突起、凹状スカロップ、及び／または低強度の加熱によって活性化される接着剤材（例えば、ユーザの手の熱によって活性化するとき、一時的な接着表面を提供するように構成される材料）を含み得る。
【００２２】
レッジ１１４は任意の適切な構成を含み得る。例えば、レッジ１１４は略長方形断面構成を含み得る。いくつかの実施形態では、レッジ１１４の半径方向の最外側表面（例えば、外側表面１０８と平行であるレッジ１１４の表面）は、取扱い中、例えば、快適性を促進するように曲がり得る。レッジ１１４の側壁（例えば、図１Ｃに示される側壁１１４ｂ）は、外側表面１０８に対して９０度の角度を定義し得る。いくつかの実施形態では、側壁１１４ｂによって定義される角度は９０度よりも大きいまたは小さい場合がある。またさらなる実施形態では、側壁１１４ｂは、外側表面１０８から離れるにつれて徐々に先細りになり得る。レッジ１１４が開口部１１２の実質的に全体を囲む実施形態では、レッジ１１４は、実質的に均一構成（例えば、断面形状）を含み得る。代替として、レッジ１１４の１つ以上の部分は、レッジ１１４の残りのものと異なる構成を含み得る。例えば、図１Ａ〜図１Ｃに示されるように、レッジ１１４の近位端部１１４ａは、ユーザに方向を伝えるように構成され得る。より具体的には、近位端部１１４ａは近位になるにつれて先細りになる構成を含み得る。例えば、近位端部１１４ａは、近位端１０１ｂの方向を指す矢尻、やり、矢、または矛形として成形され得る。代替実施形態では、近位端部１１４ａは、鉤、ボルト、または楔状として成形され得る。またさらなる実施形態では、近位端部１１４ａは、細長い部の一部または全てに関する幅寸法よりも大きい長さ寸法を有する細長い部を含み得る。示されないが、遠位端部の１つ以上の角（例えば、図１Ａに示される矢尻の角１１４ｃ）は丸くなり得る。
【００２３】
レッジ１１４及び筐体１０４はワンピース構成で作成され得る。例えば、レッジ１１４は、鋳造プロセス中、外側表面１０８と一体的に形成され得る。代替として、レッジ１１４は、筐体１０４の形成に続くプロセス中、外側表面１０８に添着され得る、またはそうでなければ固定され得る。例えば、レッジ１１４は、筐体１０４の製造とは別に組み立てられ、適切な接着剤または溶接プロセスによって、開口部１１２の周りに付着され得る。係る実施形態では、レッジ１１４は注射デバイスの既に製造された筐体の外側表面に「据え付け」られ得ることが想到される。当業者は、レッジ１１４は、限定ではないが、鋳造、３Ｄ印刷、及び／または切断を含む、任意の適切なプロセスによって製造され得ることを理解するであろう。
【００２４】
いくつかの実施形態では、レッジ１１４は、一定の高さ及び／または幅を含み得る、または、変動する高さ及び／または幅を含み得る。例えば、レッジ１１４は鋸歯状外形または波形外形を含み得る。具体的には、レッジ１１４の隣接部分は、外側表面１０８によって分離され得る。
【００２５】
ここで、図１Ｂを参照すると、キャップ１０２と、筐体１０４と、筐体１０４の管腔１０５の内部に受容されるように構成されるシリンジ１０６とを含む、送達デバイス１００の分解図が示される。シリンジ１０６は、例えば、デバイス１００のユーザに（及び／またはユーザによって）（例えば、図１Ｃに示される針１０７を介して）送達されることが意図される治療薬（例えば、生物製剤または他の剤形等）を含むように構成され得る。いくつかの実施形態では、シリンジ１０６は、治療薬の少なくとも１ｍＬを保持するように構成され得る。他の実施形態では、シリンジ１０６は、治療薬の少なくとも１ｍＬ、１．５ｍＬ、２ｍＬ、２．２５ｍＬ、３ｍＬ、または５ｍＬの呼び体積を保持するように構成され得る。他の実施形態では、シリンジ１０６は、１ｍＬ未満の呼び体積を保持するように構成され得る。また、筐体１０４は、例えば、針１０７を作動させるための及び／または治療薬を送達するための電源函等の任意の適切な注射アクティブ化機構及び／または推進機構を含み得る。係る注射アクティブ化機構及び／または推進機構は、デバイス１００内の任意の適切な場所に配置され得る。
【００２６】
上記に示したように、開口部１１２は、デバイス１００のユーザがシリンジ１０６の中身を見ることを可能にするように構成され得る。例えば、ユーザは、シリンジ１０６が空である、またはそうでなければ部分的に空であると判定することによって、デバイス１００が使用されていることを認識することが可能であり得る。同様に、ユーザは、シリンジ１０６が治療薬で満たされている（または、実質的に満たされている）と判定することによって、デバイス１００が使用されていないことを認識することが可能であり得る。さらに、筐体１０４は、例えば、シリンジ１０６が筐体１０４の内部で受容されるとき、シリンジ１０６の針１０７の全てまたは一部を覆うように構成される針カバー１１８を含み得る。一実施形態では、例えば、力が遠位方向に針カバー１１８の近位端に対して付与される場合、針カバー１１８は筐体１０４の中に後退し得る。
【００２７】
ここで、図１Ａ、図１Ｂ、図３Ａ〜図３Ｅ、図４Ａ〜図４Ｃ、及び図５Ａ〜図５Ｃを参照すると、キャップ１０２が示されている。上記に示したように、キャップ１０２は、筐体１０４の近位端に係合するように構成され得る。図３Ａ〜図３Ｅ、図４Ａ〜図４Ｃ、及び図５Ａ〜図５Ｃを具体的に参照すると、キャップ１０２は、中心縦軸Ｃ−Ｃを含み得る。キャップ１０２は、遠位端部１３０及び近位端部１３２を含み得る。遠位端部１３０は、近位端部１３２の直径よりも小さい直径を含み得る。代替として、示されていないが、遠位端部１３０は、近位端部１３２の直径よりも大きい直径を含み得る。またさらに、遠位端部１３０及び近位端部１３２は、実質的に同様の直径を含み得る。いくつかの実施形態では、遠位端部１３０は、筐体１０４の外径に実質的に等しい外径を含み得る。近位端部１３２が遠位端部１３０の直径よりも大きい直径を含む実施形態では、近位端部１３２の外径は、また、筐体１０４の外径よりも大きい場合がある。
【００２８】
近位端部１３２は近位端面１３２ａによって画定され得る。近位端面１３２ａは実質的に平坦構成を含み得る。近位端面１３２ａは、キャップ１０２の近位端を閉鎖するように構成される実質的に連続壁であり得る。この方式では、想到される開示は、キャップ１０２を取り外さないで、開示されるデバイスの使用を防止する。キャップ１０２は、また、近位端面１３２ａから延びる略円筒状スカート１３４を含み得る。いくつかの実施形態では、円状溝１３３は、スカート１３４と近位端面１３２ａとの間に配置され得る。スカート１３４は、キャップ１０２の内部で遠位端１３０において開口部１３５を画定し得る。開口部１３５は、針カバー１１８を受容するように構成され得、その状態では、キャップ１０２は、筐体１０４に解放可能に係合し得る。
【００２９】
キャップ１０２は、近位端面１３２ａの内部表面から延びる開口部１３５の内部に配置され及びスカート１３４と同心円状に配列される、第２のスカート（図示されない）を含み得る。第２のスカートは、スカート１３４の直径よりも小さい直径を含み得る。さらに、第２のスカートは、スカート１３４の長さよりも小さい長さを含み得る。図３Ａ、図４Ａ、及び図５Ａを再び参照して、キャップ１０２は、第２のスカートから及びキャップ１０２のスカート１３４及び遠位端部１３０を越えて遠位に延在する円筒状延在部１４３を含み得る。円筒状延在部１４３は、概して、スカート１３４の中心に配置され得る。一実施形態では、円筒状延在部１４３は中心管腔（図示されない）を画定し得る。管腔は、その中に弾力材１４４を受容するように構成され得る。いくつかの実施形態では、弾力材１４４は、例えば、針を受容するための管腔１４３ａを画定し得る。円筒状延在部１４３は、管腔１４３の内部に弾力材１４４を保定するように構成される、１つ以上の選択的にアクティブになる握り特徴を含み得る。円筒状延在部１４３は、第２のスカートの内部に固着され得る、または、ワンピース構成として、キャップ１０２と一緒に組み立てられ得る。円筒状延在部１４３の外径は、第２のスカートの内径よりも小さい場合がある。さらに、第２のスカートは、針カバー１１８の管腔の内部に受容されるように構成され得る。
【００３０】
キャップ１０２は、限定ではないが、ガラス、樹脂、金属、ゴム、シリコーン、またはそれらの組み合わせを含む、任意の適切な材料から作成され得る。いくつかの実施形態では、キャップ１０２は、筐体１０４と同じ材料から作成され得る。他の実施形態では、キャップ１０２は、筐体１０４の材料と異なる少なくとも１つの材料から作成され得る。またさらに、円筒状延在部１４３は、キャップ１０２の残りのものと異なる材料から作成され得る。例えば、キャップ１０２は樹脂から作成され得、円筒状延在部１４３は金属から作成され得る。
【００３１】
例えば、図３Ａ及び図４Ａに示されるように、スカート１３４の外側表面は、近位端部１３２から遠位端部１３０まで延在するにつれて、内向きに曲がり得る。異なって提示されるように、スカート１３４の外側表面は、遠位端部１３０から近位端部１３２まで延在するにつれて、半径方向の外向きに曲がり得る。いくつかの実施形態では、例えば、スカート１３４の外側表面の曲線は、キャップ１０２の半径方向の外向きの視点から視認されるとき、実質的に凹構成を含み得る。他の実施形態では、当該構成は、視点から視認されるとき、実質的に凸状であり得る。スカート１３４の曲率は、キャップ１０２の取扱い中、ユーザによる握りを容易にするように構成され得る。またさらなる実施形態では、スカート１３４の外側表面の一部または全ては、視点から視認されるとき、実質的に線形であり得る。いくつかの実施形態では、例えば、図５Ａに示されるように、スカート１３４（例えば、近位端部１３２まで延在する）の外側表面の一部が外向きに傾き得るように、外側スカート１３４はしわを有し得る。係る外向きの角度は、また、キャップ１０２の取扱い中、ユーザによる握りを容易にするように構成され得る。
【００３２】
スカート１３４の外側表面は、また、１つ以上の突起１３６（例えば、突起１３６ａ〜１３６ｄ等）を含み得る。突起１３６ａ〜１３６ｄは、相互に実質的に同様であり得る、または、異なる構成を含み得る。簡潔にするために、以下の説明は、単一の突起１３６（例えば、突起１３６ａ）に対して提供されている。突起１３６ａは、略長方形構成を含み得る。図３Ａ、図３Ｂ、図４Ａ、図５Ａ、及び図５Ｂに示されるように、突起１３６ａの長さは、概して、縦軸Ｃ−Ｃの方向に沿って配置され得る。当業者は、突起が任意の適切な構成または形状を含み得ることを理解するであろう。例えば、長方形構成の代わりに、突起１３６ａは、略長方形、円、または三角形構成を含み得る。構成にかかわらず、突起１３６ａは、概して、前述のスカート１３４の外側表面の曲率に従い得る。
【００３３】
スカート１３４は、任意の適切な数の突起１３６ａを含み得る。例えば、４つの突起１３６ａ〜１３６ｄが示されているが、当業者は、スカート１３４が、例えば、少なくともまたはちょうど１個、少なくともまたはちょうど２個、少なくともまたはちょうど３個、少なくともまたはちょうど５個、少なくともまたはちょうど６個、少なくともまたはちょうど７個、少なくともまたはちょうど８個、または９個以上の突起が提供され得ることを理解するであろう。加えて、スカート１３４のいくつかの実施形態は、任意の突起を含まない場合がある。スカート１３４が２つ以上の突起１３６ａが提供されたその実施形態では、突起は、任意の適切な距離だけ相互から離間され得る。例えば、突起はスカート１３４の外側表面の周りに等しく離間され得る。突起１３６ａは、スカート１３４の長さに沿って、任意の位置において配置され得る。例えば、突起１３６ａは、遠位端部１３０と近位端部１３２との間の中心に（図示されない）、近位端部１３２の近くに、または遠位端部１３０の近くに（図示されない）配置され得る。突起１３６ａは、第１の端１３８及び第２の端１４０を含み得る。第１の端１３８は第１の距離だけ中心縦軸Ｃ−Ｃから離間し得、突起１３６の第２の端１４０は第１の距離よりも大きい第２の距離だけ中心縦軸Ｃ−Ｃから離間し得る。
【００３４】
キャップ１０２は、また、１つ以上の凹部１４２（例えば、凹部１４２ａ及び１４２ｂ）を含み得る。２つの凹部１４２だけが示されているが、キャップ１０２は、大きいまたは小さい数の凹部１４２を含み得る。例えば、キャップ１０２は、例えば、少なくともまたはちょうど１個、少なくともまたはちょうど３個、少なくともまたはちょうど４個、少なくともまたはちょうど５個、少なくともまたはちょうど６個、少なくともまたはちょうど７個、少なくともまたはちょうど８個、または９個以上の凹部１４２を含み得る。いくつかの実施形態では、キャップ１０２は、いずれかの凹部１４２なしで提供され得る。凹部１４２は、スカート１３４の厚さを通って部分的に延在し得る。いくつかの実施形態では、１つ以上の凹部１４２は、スカート１３４の厚さを通って完全に延在し得る。
【００３５】
凹部１４２は任意の適切な構成を含み得る。例えば、凹部１４２は、（図３Ａ〜図３Ｄ、図５Ａ、及び図５Ｂに示されるような）逆三角形状を含み得る。逆三角形凹部１４２は、１つ以上の直線側もしくは湾曲側、または（例えば、矢尻状形状を形成するような）直線側及び湾曲側の組み合わせを含み得る。例えば、図３Ａ〜図３Ｄ、図５Ａ、及び図５Ｂは、キャップ１０２の遠位端部１３０に最も近い凹部１４２の側面に関する湾曲側を伴う例示的凹部１４２を示す。具体的には、例えば、図３Ａ、図５Ａ、及び図５Ｂに示されるように、凹部１４２ｂの基部側は凹湾曲を含み得る。凹部１４２の脚側は、また、湾曲（例えば、凸湾曲）を含み得る。代わりに、または、加えて、凹部１４２は、（図４Ａ〜図４Ｃに示されるような）涙形状を含み得る。涙形状は、遠位端部１３０に近い方向に、または、近位端部１３２に近い方向に配置される幅広の基部を含み得る。いくつかの態様では、凹部１４２は実質的に正三角形構成を含み得る。他の態様では、例えば図３Ａに示されるように、凹部１４２は二等辺構成を有する三角形状を含み得、三角形状の脚は基部の長さよりも大きい実質的に等しい長さを含み得る。単一のキャップ１０２は、また、例えば、交互に三角形または涙形状を有する異なる形状の凹部１４２を含み得る。１つ以上の凹部１４２は、近位幅よりも大きい遠位幅を含み得る。係る実施形態では、凹部１４２の狭い近位幅は、デバイス１００のユーザに、注射端または方向を示す（例えば、その方向を指す）ように構成され得る。代替として、１つ以上の凹部１４２は、近位幅よりも小さい遠位幅を含み得る。代わりに、または、加えて、凹部１４２は、シリンジ１０６の内部に含有される特定の治療薬、シリンジ１０６内に配置される治療薬の量、シリンジ１０６からの薬送達の速度、またはそれらの組み合わせを示す、顕著な構成を含み得る。例えば、（例えば、図４Ａの）涙形状凹部１４２は、選択された治療薬の特定の投与量を示し得るが、（例えば、図３Ａまたは図５Ａの）三角形凹部１４２は同じ治療薬の第２の投与量を示し得る。代わりに、涙形状凹部１４２は、選択された治療薬の特定の投与量を示し得るが、三角形凹部１４２は選択された治療薬と異なる第２の治療薬の第２の投与量を示し得る。指示は、また、色、テクスチャ、または当業者に既知のいずれかの際立った特徴を用いて提供され得る。加えて、図３Ｃ及び図４Ｂに示されるように、凹部１４２がスカート１３４の厚さに延在し得る深度は、一定であり得る、または、凹部１４２の幅及び／または長さにわたって変動し得る。いくつかの実施形態では、凹部１４２のそれぞれは、同様の構成を含み得る。他の実施形態では、１つ以上の凹部１４２は、スカート１３４上に提供された他の凹部１４２と異なり得る。凹部１４２のそれぞれは、スカート１３４の上記に説明した曲率に従い得る、またはその曲率から逸脱し得るのいずれかである、表面１４５を含み得る。凹部１４２の表面１４５は、キャップ１０２の取扱い中、握りを強める任意の適切な質感及び／または表面加工が提供され得る。
【００３６】
図３Ｂ〜図３Ｄ、図４Ｂ、図４Ｃ、図５Ａ、及び図５Ｂに示されるように、凹部１４２のそれぞれは、さらに、凹部１４２の深さを定義する傾き表面１４７を含み得る。表面１４７は直線状表面（図３Ｃ、図３Ｄ、図４Ｂ、図４Ｃ、図５Ａ、及び図５Ｂに示されるような表面）を含み得、表面１４７はスカート１３４の表面の直線不連続性を示す。代わりに、表面１４７は、スカート１３４の表面内の湾曲不連続性を含み得る。表面１４７の１つ以上の境界は、また、湾曲または直線であり得、凹部１４２の形状は、表面１４７の境界によって判定され得る。さらに、表面１４７は、凹部１４２の深度を定義し得る。例えば、表面１４７は、（図３Ｄ及び図４Ｃに示されるような）角度の傾きとして、凹部１４２の深度を定義し得、表面１４７は、縦軸Ｃ−Ｃに対して及び／またはスカート１３４の表面に対して傾斜する表面を含み得る。角度の傾きは、例えば、垂直角度を含み得、表面１４７は、スカート１３４の表面に対して垂直であり得る、または、スカート１３４の表面内の凹辺縁を定義し得る。凹部１４２は、凹部１４２の一部において表面１４７を含み得る一方、凹部１４２の他の部分は、（図３Ｂ〜図３Ｄ及び図４Ｂに示されるように）スカート１３４を徐々に形成する、またはスカート１３４と同一平面になる。係る実施形態では、凹部１４２は、変動深度において、スカート１３４に延在し得る。代わりに、凹部１４２は、凹部１４２の外周全体の周囲の表面１４７を含み得る。言い換えれば、スカート１３４の表面内の凹部１４２の深さは一定のままであり得、それにより、表面１４７は凹部１４２の外周のすべての点においてスカート１３４の表面内に延在する。
【００３７】
少なくとも図３Ａ、図３Ｂ、図４Ａ、図４Ｂ、及び図５Ａ〜図５Ｃに示されるように、凹部１４２のそれぞれは、隣接する突起１３６の間に位置付けられ得る。当業者は、凹部１４２が、隣接する突起１３６の特定の組だけの間に提供され得ることを理解するであろう。すなわち、凹部１４２が、隣接する突起の特定の組の間において省略され得る。凹部１４２の数及び構成は、キャップ１０２の取扱い中、ユーザによる握りを容易にするように構成され得る。
【００３８】
図３Ａ、図４Ａ、及び図５Ａに示されるように、例えば、凹部１４２のそれぞれは、キャップ１０２の遠位端部１３０及び近位端部１３２から任意の適切な距離に位置付けられ得る。例えば、図５Ｂに示されるように、凹部１４２は、遠位端部１３０から距離ｍに、近位端部１３２から距離ｎに位置付けられ得る。距離ｍは、例えば、遠位端部１３０に最も近い凹部１４２の端から、遠位端部１３０におけるキャップ１０２の縁まで測定され得、距離ｎは、同様に、例えば、近位端部１３２に最も近い凹部１４２の端から、近位端部１３２におけるキャップ１０２の縁まで測定され得る。距離ｍ及び距離ｎの両方は、凹部１４２がキャップ１０２上で及び／またはキャップ１０２の内部で嵌合することを可能にする任意の距離であり得る。いくつかの実施形態では、距離ｍ及びｎのそれぞれは、例えば、約１ｍｍ〜約４．５ｍｍ、約１．５ｍｍ〜約４．５ｍｍ、約２ｍｍ〜約４．５ｍｍ、約２．５ｍｍ〜約４．５ｍｍ、または約３ｍｍ〜約４．５ｍｍ等の、約０．５ｍｍ〜約５ｍｍであり得る。例えば、距離ｍ及び距離ｎのそれぞれは、約０．５ｍｍ、約１ｍｍ、約１．５ｍｍ、約２ｍｍ、約２．５ｍｍ、約３ｍｍ、約３．５ｍｍ、約４ｍｍ、約４．５ｍｍ、または約５ｍｍ、または任意の他の距離であり得る。いくつかの実施形態では、距離ｍは、例えば、約３．３ｍｍ、３．３５ｍｍ、３．４ｍｍ、３．４５ｍｍ、３．５ｍｍ、３．５５ｍｍ、３．６ｍｍ、３．６５ｍｍ、３．７ｍｍ、３．７５ｍｍ、３．８ｍｍ、３．８５ｍｍ、３．９ｍｍ、または３．９５ｍｍ等の、約３．１ｍｍ〜３．９ｍｍであり得る。一実施形態では、例えば、距離ｍは、約３．３６５ｍｍであり得る。いくつかの実施形態では、距離ｎは、例えば、約３．９ｍｍ、約４ｍｍ、約４．０５ｍｍ、約４．１ｍｍ、約４．１５ｍｍ、約４．２ｍｍ、約４．２５ｍｍ、約４．３ｍｍ、約４．３５ｍｍ、約４．４ｍｍ、約４．４５ｍｍ、または約４．５ｍｍ等の、約３．９ｍｍ〜約４．５ｍｍであり得る。一実施形態では、例えば、距離ｎは約４．２６２ｍｍであり得る。これらの寸法が例示的であり、当業者は、多くの他の寸法及び寸法の範囲が可能であることを理解するであろう。
【００３９】
凹部１４２のそれぞれは、また、キャップ１０２上で嵌合するための任意の適切な寸法（例えば、長さ、幅、高さ、凹部深度）を有し得る。図５Ｄは、１つの湾曲側及び複数の寸法ａ〜ｆを有する、例示的な三角形凹部１４２を示す。下記の表１は、寸法ａ〜ｆのいくつかの例示的な測定値をリストにしている。これらの測定値は近似的、かつ単なる例であり、寸法ａ〜ｆの多くの他の可能性がある測定値（または、凹部１４２の他の寸法）は適切であり得ることを理解されたい。
【００４０】
【表１】
2020526257.tif 000003
いくつかの実施形態では、キャップ１０２の色は、レッジ１１４の色に調整され得る。例えば、突起１３６の色は、レッジ１１４の色に調整され得る。同様に、凹部１４２の色は、レッジ１１４の色に調整され得る。説明される調整が色を調和することを含み得ることが想到されるが、当業者は、他の色調整スキームが本開示の範囲内にあることを理解するであろう。キャップ１０２の１つ以上の色と、レッジ１１４（または筐体１０４）との間の調整は、ユーザが、キャップ１０２をその各々の筐体に係合させることを補助し得る。
【００４１】
ここで、図１Ａ〜図１Ｃ及び図２Ａ〜図２Ｂを再び参照して、レッジ１１４は、例えば、筐体１０４が平面上にあるとき、筐体１０４の回転を防止またはそうでなければ抑制するように構成され得る。例えば、軸Ｘ−Ｘが表面に実質的に平行であるように、筐体１０４が表面上にあるとき、レッジ１１４は、筐体１０４が表面上で回転することを防止またはそうでなければ抑制するように、表面に摩擦するように係合し得る。さらに、レッジ１１４は、表面上で既に回転している筐体１０４の回転速度を停止またはそうでなければ減速させるように構成され得る。アンチロール性能の向上を提供するために、レッジ１１４の全てまたは一部は、摩擦を増加させるために、粘着剤、例えば、ゴム製被覆を含み得る。
【００４２】
同様に、突起１３６は、例えば、キャップ１０２が平面上にあるとき、キャップ１０２の回転を防止またはそうでなければ抑制するように構成され得る。例えば、軸Ｃ−Ｃが表面に実質的に平行であるように、または表面と実質的に直角ではないように、キャップ１０２が表面上にあるとき、１つ以上の突起１３６は、キャップ１０２が表面上で回転することを防止またはそうでなければ抑制するように、表面に摩擦するように係合し得る。さらに、１つ以上の突起１３６は、表面上で既に回転しているキャップ１０２の回転速度を停止またはそうでなければ減速させるように構成され得る。アンチロール性能の向上を提供するために、突起１３６の全てまたは一部は、摩擦を増加させるために、粘着剤、例えば、ゴム製被覆を含み得る。
【００４３】
上記に示されるように、キャップ１０２は、遠位端部１３０の直径よりも大きい直径を有する近位端部１３２を含み得る。結果として、キャップ１０２が筐体１０４と係合し、送達デバイス１００が表面上にあるとき、筐体１０４の近位端１０１ｂは、表面からずれるように上昇し得、それにより、軸Ｘ−Ｘは表面との角度を形成する。係る上昇の結果として、レッジ１１４の全てまたは一部は、表面に接触することが防止され得る。係る場合、突起１３６は、送達デバイス１００が表面上で回転することを防止またはそうでなければ抑制するように、表面に摩擦するように係合する役割を果たす。さらに、突起１３６は、表面上で既に回転している送達デバイス１００の回転速度を停止またはそうでなければ減速させるように構成され得る。
【００４４】
いくつかの実施形態では、本開示に従ったデバイスは、患者を治療するために、治療薬のパッケージング及び／または送達のために使用され得る。例えば、いくつかの実施形態では、本開示に従ったデバイスは、例えば、関節炎、喘息、慢性痛（例えば、慢性腰痛）、アレルギー反応、病気、及び疾患（例えば、好酸球性食道炎）、皮膚炎、筋肉消耗疾患、高コレステロール血症、異常ＬＤＬコレステロール値、心血管系イベント、バクテリアもしくはウイルス感染、または他の疾患、症状、もしくは病気の治療、管理、または防止のために、治療薬のパッケージング及び／または送達のために使用され得る。いくつかの実施形態では、本開示に従った治療薬は、小分子（例えば、９００Ｄａ以下の分子量を有する分子）または大分子（例えば、９００Ｄａを超える分子量を有する分子）を含み得る。いくつかの実施形態では、本開示に従った治療薬は、３０ｋＤａを超える分子量を有するタンパク質、抗体、または抗体の一部等の巨大分子を含み得る。例えば、本開示のデバイスとともに使用される治療薬は、例えば、デュピルマブ、アリロクマブ、エボロクマブ、トレボグルマブ、エビナクマブ、サリルマブ、またはファシヌマブを含み得る。いくつかの実施形態では、本開示に従った治療薬は、ＰＣＳＫ９抑制剤、インターロイキン−４受容体抑制剤、インターロイキン−５受容体抑制剤、またはインターロイキン−１３受容体抑制剤を含み得る。いくつかの実施形態では、本開示に従ったデバイスは、アンチロール特徴から利点をもたらす場合がある集団において、高齢患者、リウマチ性関節炎を患う患者、小児患者、及び／または身体障害または精神障害を患う患者等の患者に治療薬を送達するために使用され得る。
【００４５】
上記の説明及び例は例示的であり、制限されることが意図されない。当業者は、本発明の一般的な範囲から逸脱することなく、いくつかの修正及び／または変化を生じさせ得る。例えば、説明されているように、上記に説明した実施形態（及び／またはその態様）は、相互と組み合わせて使用され得る。加えて、上記に説明した実施形態の一部は、本発明の範囲から逸脱することなく取り外され得る。加えて、特定の状況または態様を様々な実施形態の教示に、その本質的範囲から逸脱することなく適応させるために、修正がされ得る。また、多くの他の実施形態は、上記の説明を精査するとき、当業者に明白であろう。
【００４６】
加えて、本明細書に開示される実施形態（及びその変形例）のいくつかの目的及び利点が説明されているが、必ずしも、全ての係る目的または利点は任意の特定の実施形態に従って達成され得るわけではない。したがって、例えば、当業者は、本明細書に説明されるシステム及び技術が、本明細書に教示または提案され得るように必ずしも他の目的または利点を達成することなく、本明細書に教示されるような１つの利点または一群の利点を達成または最適化する様式において、具体化または実行され得ることを認識するであろう。
【図１Ａ】
2020526257.tif 000004
【図１Ｂ】
2020526257.tif 000005
【図１Ｃ】
2020526257.tif 000006
【図２Ａ】
2020526257.tif 000007
【図２Ｂ】
2020526257.tif 000008
【図２Ｃ】
2020526257.tif 000009
【図３Ａ】
2020526257.tif 000010
【図３Ｂ】
2020526257.tif 000011
【図３Ｃ】
2020526257.tif 000012
【図３Ｄ】
2020526257.tif 000013
【図３Ｅ】
2020526257.tif 000014
【図４Ａ】
2020526257.tif 000015
【図４Ｂ】
2020526257.tif 000016
【図４Ｃ】
2020526257.tif 000017
【図５Ａ】
2020526257.tif 000018
【図５Ｂ】
2020526257.tif 000019
【図５Ｃ】
2020526257.tif 000020
【図５Ｄ】
2020526257.tif 000021
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
治療薬送達デバイスであって、
第１の端部と、第２の端部と、前記第１の端部と前記第２の端部との間に延在する管腔とを含む管状体であって、管状体の外側表面は管腔と連通する第１の開口部を含み、管状体の外側表面は、さらに、第１の開口部の周縁の周囲に延在するレッジを含み、管状体の第２の端部に最も近いレッジの一部は矢尻のように成形される、管状体と、
前記管状体の第２の端部に係合するように構成されるキャップであって、中心縦軸と、第１の断面寸法を有する第１の端と、第１の断面寸法よりも大きい第２の断面寸法を有する第２の端とを含み、さらに、第１の端から第２の端まで半径方向の外向きに延在する側壁を含み、側壁は突起を含む、キャップと、
を備える、治療薬送達デバイス。
【請求項２】
治療薬送達デバイスは自己注射器である、請求項１に記載の治療薬送達デバイス。
【請求項３】
前記管腔はその内部にシリンジを受容するように構成される、請求項１に記載の治療薬送達デバイス。
【請求項４】
前記シリンジは治療薬の体積を含み、前記第１の開口部は、治療薬の体積の可視化を可能にするように構成される、請求項３に記載の治療薬送達デバイス。
【請求項５】
前記キャップが前記管状体と係合しないとき、前記レッジは前記管状体の回転を制限するように構成される、請求項１に記載の治療薬送達デバイス。
【請求項６】
前記キャップが前記管状体と係合するとき、前記突起だけが治療薬送達デバイスの回転を制限するように構成される、請求項１に記載の治療薬送達デバイス。
【請求項７】
前記突起は複数の突起を含む、請求項１に記載の治療薬送達デバイス。
【請求項８】
前記複数の突起のうちの各突起は、隣接する突起から円周方向に離間している、請求項７に記載の治療薬送達デバイス。
【請求項９】
隣接する突起の間に配置される凹部をさらに備える、請求項７に記載の治療薬送達デバイス。
【請求項１０】
前記突起は第１の端及び第２の端を含み、前記突起の第１の端は第１の距離だけ前記キャップの中心縦軸から離間し、前記突起の第２の端は、第１の距離よりも大きい第２の距離だけ、前記キャップの中心縦軸から離間している、請求項１に記載の治療薬送達デバイス。
【請求項１１】
前記管状体の外側表面は、さらに、前記第１の開口部に対して直径方向において反対側に配置される第２の開口部を含む、請求項１に記載の治療薬送達デバイス。
【請求項１２】
治療薬送達デバイスはデュピルマブを含有する、請求項１に記載の治療薬送達デバイス。
【請求項１３】
治療薬送達デバイスであって、
第１の端部と、第２の端部と、中心縦軸とを含む管状体であって、管状体の外側表面は中心縦軸から離れるように延在する幾何学構成を含み、幾何学構成の一部は矢尻のように成形され、幾何学構成は管状体の回転を制限するように構成される、管状体と、
前記管状体の第２の端部に係合するように構成されるキャップであって、その内部と連通する開口部を含む第１の端と、端壁を有する第２の端と、第１の端から第２の端まで半径方向の外向きに延在する側壁とを含み、側壁はキャップの回転を制限するように構成される突起を含む、キャップと、
を備える、治療薬送達デバイス。
【請求項１４】
前記管状体の外側表面は複数の幾何学構成を含み、幾何学構成のそれぞれは、矢尻のように成形される部分を含む、請求項１３に記載の治療薬送達デバイス。
【請求項１５】
前記幾何学構成は、前記管状体の外側表面上で相互に円周方向に離間している、請求項１４に記載の治療薬送達デバイス。
【請求項１６】
前記管状体の外側表面は窓を含み、前記幾何学構成は前記窓の一部を囲む、請求項１３に記載の治療薬送達デバイス。
【請求項１７】
前記窓は、前記管状体の内部の可視化を可能にする、請求項１６に記載の治療薬送達デバイス。
【請求項１８】
前記側壁は、相互に円周方向に離間している複数の突起を含む、請求項１３に記載の治療薬送達デバイス。
【請求項１９】
前記側壁は、隣接する突起間に配置される凹部を含む、請求項１３に記載の治療薬送達デバイス。
【請求項２０】
前記キャップが前記管状体と係合するとき、前記突起だけが治療薬送達デバイスの回転を制限するように構成される、請求項１３に記載の治療薬送達デバイス。
【請求項２１】
前記キャップが前記管状体と係合しないとき、前記幾何学構成は前記管状体の回転を制限するように構成される、請求項１３に記載の治療薬送達デバイス。
【国際調査報告】
2020526257.tif 000022
2020526257.tif 000023